(57)【要約】【課題】  複数の通信装置が通信線に接続されても通信線のインピーダンス低下を抑制しつつ不要輻射を低減できる通信装置を提供する。【解決手段】  制御部２から出力されたデータに応じて前処理信号Ｃｖ+を生成する前処理部３と、前処理信号Ｃｖ+に応じて信号Ｒｘ+、信号Ｒｘ-を通信線５Ｈ，５Ｌへ出力する信号出力部４とを備える。そして、制御部２は、データを出力する場合にスイッチＳＷ１，ＳＷ２をオンさせる一方、データを出力しない場合にスイッチＳＷ１，ＳＷ２をオフさせる。また、前処理部３は、前処理信号Ｃｖ+を生成するためのコンデンサＣ１を電流Ｉ11で充電する充電回路７と、コンデンサＣ１を電流Ｉ21で放電させる放電回路６とを備えると共に、前記データに応じて充電回路７による充電動作と放電回路６による放電動作とのいずれかを行わせることによりコンデンサＣ１に生じた充電電圧を前処理信号Ｃｖ+として生成する。【選択図】      図１
2005045729.tif 000002
【特許請求の範囲】
【請求項１】
２線式の通信線を介して所定のデータを表す通信用信号を送信する通信装置において、
前記データを出力する制御部と、
前記制御部から出力されたデータに応じて前記通信用信号を生成するための前処理信号を生成する前処理信号生成部と、
前記前処理信号生成部から出力された前処理信号に応じて前記通信用信号を前記通信線へ出力する信号出力部と、
前記信号出力部と前記通信線との間の接続をオンオフする出力用のスイッチとを備え、
前記制御部は、前記データを出力する場合に前記出力用のスイッチをオンさせる一方、前記データを出力しない場合に前記出力用のスイッチをオフさせるものであり、
前記前処理信号生成部は、前記前処理信号を生成するための充電用コンデンサを所定の電流で充電する充電回路と、前記充電用コンデンサを所定の電流で放電させる放電回路とを備えると共に、前記データに応じて前記充電回路による充電動作と前記放電回路による放電動作とのいずれかを行わせることにより前記充電用コンデンサに生じた充電電圧を前記前処理信号として生成するものであることを特徴とする通信装置。
【請求項２】
前記信号出力部は、出力用のコンデンサを介して前記通信線と接続されることを特徴とする請求項１記載の通信装置。
【請求項３】
前記前処理信号生成部は、前記前処理信号の電圧を所定の電圧範囲に制限する電圧制限回路をさらに備えることを特徴とする請求項１又は２記載の通信装置。
【請求項４】
前記電圧制限回路と前記充電用コンデンサとの間には、第１の抵抗が介設されることを特徴とする請求項１〜３のいずれかに記載の通信装置。
【請求項５】
前記充電回路は、所定の電流を出力する第１の定電流源と、当該第１の定電流源に接続された第１のトランジスタと前記充電用コンデンサに接続された第２のトランジスタとからなる第１のカレントミラー回路とを備え、
前記第１のトランジスタの出力端子間には、第１のコンデンサが接続されることを特徴とする請求項１〜４のいずれかに記載の通信装置。
【請求項６】
前記放電回路は、所定の電流を出力する第２の定電流源と、当該第２の定電流源に接続された第３のトランジスタと前記充電用コンデンサに接続された第４のトランジスタとからなる第２のカレントミラー回路とを備え、
前記第３のトランジスタの出力端子間には、第２のコンデンサが接続されることを特徴とする請求項１〜５のいずれかに記載の通信装置。
【請求項７】
前記前処理信号生成部は、前記前処理信号の電圧を前記所定の電圧範囲の中間電圧にするべく前記充電用コンデンサを充放電可能な中間電圧設定回路をさらに備え、
前記制御部は、前記データを出力しない場合、前記中間電圧設定回路に前記前処理信号の電圧を前記中間電圧にさせるものであることを特徴とする請求項３〜６のいずれかに記載の通信装置。
【請求項８】
前記信号出力部は、前記出力用のスイッチを介して前記出力用のコンデンサに接続され、
前記制御部は、前記データの出力が終わった後、所定時間経過後に前記出力用のスイッチをオフさせることを特徴とする請求項７記載の通信装置。
【請求項９】
前記出力用のスイッチは、抵抗値を変更可能なアナログスイッチであり、
前記制御部は、前記データの出力を開始する際、前記出力用のスイッチをオフ状態から徐々に抵抗値を小さくさせることによりオン状態に移行させることを特徴とする請求項７又は８記載の通信装置。
【請求項１０】
第１、第２の前記前処理信号生成部と、第１、第２の前記信号出力部と、第１、第２の前記出力用スイッチと、第１、第２の前記出力用コンデンサとを備え、
前記第１の前処理信号生成部は、前記データの論理値が１の場合に当該第１の前処理信号生成部が有する充電回路による充電動作を行わせる一方、前記データの論理値が０の場合に当該第１の前処理信号生成部が有する放電回路による放電動作を行わせることにより当該第１の前処理信号生成部の充電用コンデンサに生じた充電電圧を第１の前記前処理信号として生成し、
前記第１の信号出力部は、前記第１の前処理信号に応じて前記通信用信号を前記第１の出力用スイッチと前記第１の出力用コンデンサとを介して前記通信線の一方へ出力し、
前記第２の前処理信号生成部は、前記データの論理値が１の場合に当該第２の前処理信号生成部が有する放電回路による放電動作を行わせる一方、前記データの論理値が０の場合に当該第２の前処理信号生成部が有する充電回路による充電動作を行わせることにより当該第２の前処理信号生成部の充電用コンデンサに生じた充電電圧を第２の前記前処理信号として生成し、
前記第２の信号出力部は、前記第２の前処理信号に応じて前記通信用信号を前記第２の出力用スイッチと前記第２の出力用コンデンサとを介して前記通信線の他方へ出力することを特徴とする請求項７〜９のいずれかに記載の通信装置。
【請求項１１】
前記中間電圧設定回路は、所定の同じ電流を出力する第３、第４の定電流源と、２つのダイオードが直列に接続されると共に当該ダイオードの接続点が前記中間電圧に設定された第１のダイオード対と、２つのダイオードが直列に接続されると共に当該ダイオードの接続点が前記第１の前処理信号生成部の充電用コンデンサを充放電可能に接続された第２のダイオード対と、２つのダイオードが直列に接続されると共に当該ダイオードの接続点が前記第２の前処理信号生成部の充電用コンデンサを充放電可能に接続された第３のダイオード対とを備え、前記第１、第２、第３のダイオード対が並列に接続されてなるダイオードブリッジが、前記第３、第４の定電流源の間に介設されていることを特徴とする請求項１０記載の通信装置。
【発明の詳細な説明】
【技術分野】
【０００１】
本発明は、２線式の通信線を介して所定のデータを表す通信用信号を送信する通信装置に関するものである。
【背景技術】
【０００２】
図１１、図１２は、背景技術を説明するためのブロック図である。図１１を参照して、例えばツイストペアケーブルからなる２線式の通信線１０１には、複数の通信装置１０２が接続されており、通信装置１０２相互間で、所定のデータを表す通信信号を送受信可能にされている。また、通信線１０１の終端には、その特性インピーダンスに等しい終端抵抗１０３が接続され、通信線のインピーダンスが整合されている。
【０００３】
しかし、通信線１０１に接続される通信装置１０２の台数が増加すると、通信線１０１のインピーダンスが低下して伝送される通信信号のレベルが低下したり、通信装置１０２から出力される通信信号の高周波成分が通信線１０１から不要輻射として放射されたりするという不都合が生じる。
【０００４】
そこで、例えば図１２に示す通信装置１０２のように、トランス１０４を介して通信信号を通信線１０１へ出力することにより通信信号のノイズ成分を除去して不要輻射を低減したり、信号出力部にスイッチ１０５を備えて信号送信時以外はスイッチ１０５をオフさせることにより通信線１０１のインピーダンス低下を抑制したりするものが知られている（例えば、特許文献１参照。）。
【特許文献１】特開平７−２３１３２４号公報
【発明の開示】
【発明が解決しようとする課題】
【０００５】
しかし、上述のように、通信信号のノイズ成分を除去するためのノイズフィルタとしてトランスのような大型の部品を用いる場合には、ノイズフィルタが大きいために通信装置を小型化することが困難であるという不都合があった。
【０００６】
本発明は、このような問題に鑑みてなされた発明であり、複数の通信装置が通信線に接続されても通信線のインピーダンス低下を抑制しつつ不要輻射を低減できる通信装置を提供することを目的とする。
【課題を解決するための手段】
【０００７】
上述の目的を達成するために、本発明の第１の手段に係る通信装置は、２線式の通信線を介して所定のデータを表す通信用信号を送信する通信装置において、前記データを出力する制御部と、前記制御部から出力されたデータに応じて前記通信用信号を生成するための前処理信号を生成する前処理信号生成部と、前記前処理信号生成部から出力された前処理信号に応じて前記通信用信号を前記通信線へ出力する信号出力部と、前記信号出力部と前記通信線との間の接続をオンオフする出力用のスイッチとを備え、前記制御部は、前記データを出力する場合に前記出力用のスイッチをオンさせる一方、前記データを出力しない場合に前記出力用のスイッチをオフさせるものであり、前記前処理信号生成部は、前記前処理信号を生成するための充電用コンデンサを所定の電流で充電する充電回路と、前記充電用コンデンサを所定の電流で放電させる放電回路とを備えると共に、前記データに応じて前記充電回路による充電動作と前記放電回路による放電動作とのいずれかを行わせることにより前記充電用コンデンサに生じた充電電圧を前記前処理信号として生成するものであることを特徴としている。
【０００８】
また、上述の通信装置において、前記信号出力部は、出力用のコンデンサを介して前記通信線と接続されることを特徴としている。
【０００９】
また、上述の通信装置において、前記前処理信号生成部は、前記前処理信号の電圧を所定の電圧範囲に制限する電圧制限回路をさらに備えることを特徴としている。
【００１０】
また、上述の通信装置において、前記電圧制限回路と前記充電用コンデンサとの間には、第１の抵抗が介設されることを特徴としている。
【００１１】
また、上述の通信装置において、前記充電回路は、所定の電流を出力する第１の定電流源と、当該第１の定電流源に接続された第１のトランジスタと前記充電用コンデンサに接続された第２のトランジスタとからなる第１のカレントミラー回路とを備え、前記第１のトランジスタの出力端子間には、第１のコンデンサが接続されることを特徴としている。
【００１２】
また、上述の通信装置において、前記放電回路は、所定の電流を出力する第２の定電流源と、当該第２の定電流源に接続された第３のトランジスタと前記充電用コンデンサに接続された第４のトランジスタとからなる第２のカレントミラー回路とを備え、前記第３のトランジスタの出力端子間には、第２のコンデンサが接続されることを特徴としている。
【００１３】
また、上述の通信装置において、前記前処理信号生成部は、前記前処理信号の電圧を前記所定の電圧範囲の中間電圧にするべく前記充電用コンデンサを充放電可能な中間電圧設定回路をさらに備え、前記制御部は、前記データを出力しない場合、前記中間電圧設定回路に前記前処理信号の電圧を前記中間電圧にさせるものであることを特徴としている。
【００１４】
また、上述の通信装置において、前記信号出力部は、前記出力用のスイッチを介して前記出力用のコンデンサに接続され、前記制御部は、前記データの出力が終わった後、所定時間経過後に前記出力用のスイッチをオフさせることを特徴としている。
【００１５】
また、上述の通信装置において、前記出力用のスイッチは、抵抗値を変更可能なアナログスイッチであり、前記制御部は、前記データの出力を開始する際、前記出力用のスイッチをオフ状態から徐々に抵抗値を小さくさせることによりオン状態に移行させることを特徴としている。
【００１６】
また、上述の通信装置において、第１、第２の前記前処理信号生成部と、第１、第２の前記信号出力部と、第１、第２の前記出力用スイッチと、第１、第２の前記出力用コンデンサとを備え、前記第１の前処理信号生成部は、前記データの論理値が１の場合に当該第１の前処理信号生成部が有する充電回路による充電動作を行わせる一方、前記データの論理値が０の場合に当該第１の前処理信号生成部が有する放電回路による放電動作を行わせることにより当該第１の前処理信号生成部の充電用コンデンサに生じた充電電圧を第１の前記前処理信号として生成し、前記第１の信号出力部は、前記第１の前処理信号に応じて前記通信用信号を前記第１の出力用スイッチと前記第１の出力用コンデンサとを介して前記通信線の一方へ出力し、前記第２の前処理信号生成部は、前記データの論理値が１の場合に当該第２の前処理信号生成部が有する放電回路による放電動作を行わせる一方、前記データの論理値が０の場合に当該第２の前処理信号生成部が有する充電回路による充電動作を行わせることにより当該第２の前処理信号生成部の充電用コンデンサに生じた充電電圧を第２の前記前処理信号として生成し、前記第２の信号出力部は、前記第２の前処理信号に応じて前記通信用信号を前記第２の出力用スイッチと前記第２の出力用コンデンサとを介して前記通信線の他方へ出力することを特徴としている。
【００１７】
また、上述の通信装置において、前記中間電圧設定回路は、所定の同じ電流を出力する第３、第４の定電流源と、２つのダイオードが直列に接続されると共に当該ダイオードの接続点が前記中間電圧に設定された第１のダイオード対と、２つのダイオードが直列に接続されると共に当該ダイオードの接続点が前記第１の前処理信号生成部の充電用コンデンサを充放電可能に接続された第２のダイオード対と、２つのダイオードが直列に接続されると共に当該ダイオードの接続点が前記第２の前処理信号生成部の充電用コンデンサを充放電可能に接続された第３のダイオード対とを備え、前記第１、第２、第３のダイオード対が並列に接続されてなるダイオードブリッジが、前記第３、第４の定電流源の間に介設されていることを特徴としている。
【発明の効果】
【００１８】
このような構成の通信装置においては、制御部からデータが出力されていない場合は、出力用のスイッチがオフされ、通信線から通信装置を見たインピーダンスがハイインピーダンス状態にされるので、通信装置が通信線に接続されることによる通信線のインピーダンス低下を抑制することができる。
【００１９】
また、このような構成の通信装置においては、制御部から出力されたデータに応じて充電用コンデンサが、所定の電流により充放電されてその充電電圧である前処理信号が徐々に上昇、下降される。そして、通信用信号が、その前処理信号に応じて徐々に上昇、下降される結果、通信用信号の不要な高周波成分が除去されるので、通信線へ送信される通信用信号による不要輻射を低減することができる。
【発明を実施するための最良の形態】
【００２０】
以下、本発明に係る実施形態を図面に基づいて説明する。なお、各図において同一の符号を付した構成は、同一の構成であることを示し、その説明を省略する。
【００２１】
（第１実施形態）
図１は、本発明の第１の実施形態に係る通信装置の構成の一例を説明するための図である。図１に示す通信装置１は、制御部２と、前処理部３と、信号出力部４とを備える。そして、信号出力部４は、通信線５Ｈ，５Ｌからなるツイストペアケーブル５に接続されている。また、前処理部３は、放電回路６と、充電回路７と、電圧制限回路８と、充電用コンデンサＣ１とを備える。
【００２２】
信号出力部４は、出力バッファ４１，４２と、スイッチＳＷ１，ＳＷ２と、コンデンサＣ２，Ｃ３とを備える。また、出力バッファ４１の出力端子は、スイッチＳＷ１とコンデンサＣ２とを介して通信線５Ｈへ接続され、出力バッファ４２の出力端子は、スイッチＳＷ２とコンデンサＣ３とを介して通信線５Ｌへ接続されている。そして、出力バッファ４１，４２の入力端子は、コンデンサＣ１を介してグラウンドに接続されている。スイッチＳＷ１，ＳＷ２は、制御部２からの制御信号に応じてオンオフする。
【００２３】
コンデンサＣ２，Ｃ３は、出力バッファ４１，４２と通信線５Ｈ，５Ｌとの間の信号の直流成分をカットする。これにより、例えば通信線５Ｈ，５Ｌに生じた地電位差や電源電圧等の電圧によって出力バッファ４１，４２が損傷したりすることが抑制される。また、通信線５Ｈ，５Ｌに通信装置１を接続したことによる通信線５Ｈ，５Ｌのインピーダンスの低下を、直流に対して抑制することができる。
【００２４】
電圧制限回路８は、出力電圧がそれぞれＶ1，Ｖ2の定電圧源Ｅ１，Ｅ２、及びダイオードＤ１，Ｄ２を備える。この場合、出力電圧Ｖ1＞出力電圧Ｖ2にされており、前処理信号の電圧Ｃｖ+の電圧範囲の上限値がＶ1、下限値がＶ2になるようにされている。そして、出力バッファ４１，４２の入力端子とコンデンサＣ１との接続点が、ダイオードＤ１のアノードに接続され、ダイオードＤ１のカソードが定電圧源Ｅ１の正極に接続され、定電圧源Ｅ１の負極がグラウンドに接続されている。また、出力バッファ４１，４２の入力端子とコンデンサＣ１との接続点が、ダイオードＤ２のカソードに接続され、ダイオードＤ２のアノードが定電圧源Ｅ２の正極に接続され、定電圧源Ｅ２の負極がグラウンドに接続されている。
【００２５】
これにより、出力バッファ４１，４２の入力端子とコンデンサＣ１との接続点の電圧、すなわち前処理信号の電圧Ｃｖ+がＶ1≧Ｃｖ+≧Ｖ2の電圧範囲に制限される。
【００２６】
充電回路７は、所定の電流Ｉ1を出力する定電流源ＣＳ１と、定電流源ＣＳ１にスイッチＳＷ３を介してコレクタが接続され、エミッタが回路電源に接続されたトランジスタＴｒ１と、コレクタがコンデンサＣ１に接続され、エミッタが回路電源に接続されたトランジスタＴｒ２と、トランジスタＴｒ１，Ｔｒ２からなるカレントミラー回路７１とを備える。スイッチＳＷ３は、例えばトランジスタ等を用いた半導体スイッチ等からなり、制御部２から例えばデータＴｘがハイレベルで出力され、論理値”１”を示す場合にオンするようにされている。
【００２７】
放電回路６は、所定の電流Ｉ2を出力する定電流源ＣＳ２と、定電流源ＣＳ２にスイッチＳＷ４を介してコレクタが接続され、エミッタがグラウンドに接続されたトランジスタＴｒ３と、コレクタがコンデンサＣ１に接続され、エミッタがグラウンドに接続されたトランジスタＴｒ４と、トランジスタＴｒ３，Ｔｒ４からなるカレントミラー回路６１とを備える。スイッチＳＷ４は、例えばトランジスタ等を用いた半導体スイッチ等からなり、制御部２から例えばデータＴｘがローレベルで出力され、論理値”０”を示す場合にオンするようにされている。
【００２８】
制御部２は、通信用のシリアル通信データＴｘを出力したり、データＴｘを出力中であることを示す制御信号Ｅｎを出力したりするものであり、例えば汎用のＵＳＡＲＴ(Universal Synchronous Asynchronous Receiver Transmitter)等の通信用ＩＣ(Integrated Circuit)を用いて構成されている。制御部２は、データＴｘをスイッチＳＷ３へ出力し、データＴｘがハイレベルの場合にスイッチＳＷ３をオンさせて、充電回路７にコンデンサＣ１への充電動作を行わせる。また、制御部２は、データＴｘを、インバータ６２を介してスイッチＳＷ４へ出力し、データＴｘがローレベルの場合にスイッチＳＷ４をオンさせて、放電回路６にコンデンサＣ１からの放電動作を行わせる。
【００２９】
また、制御部２は、データＴｘを出力する間、制御信号Ｅｎを例えばハイレベルで出力することにより、スイッチＳＷ１，ＳＷ２をオンさせる。また、データＴｘを出力しない場合、制御信号Ｅｎを例えばローレベルで出力することにより、スイッチＳＷ１，ＳＷ２をオフさせる。
【００３０】
次に、図１に示す通信装置１の動作について説明する。図２は、通信装置１の通信用信号送信時における各部の信号波形を示す図である。まず、制御部２によって、データの送信が開始され、制御信号Ｅｎがハイレベルにされると共に、データＴｘが出力される。図２においては、データＴｘの先頭ビットは論理値”１”を示しており、ハイレベルにされている。また、制御信号Ｅｎがハイレベルにされることにより、スイッチＳＷ１，ＳＷ２がオンされ、出力バッファ４１，４２がそれぞれコンデンサＣ２，Ｃ３を介してそれぞれ通信線５Ｈ，５Ｌへ接続され、出力バッファ４１，４２から通信線５Ｈ，５Ｌへのデータの送信が可能な状態にされる。
【００３１】
次に、データＴｘがハイレベルにされると、充電回路７においてスイッチＳＷ３がオンし、定電流源ＣＳ１によってトランジスタＴｒ１に電流Ｉ1が流される結果、トランジスタＴｒ１と共にカレントミラー回路７１を構成するトランジスタＴｒ２から電流Ｉ1とほぼ等しい一定の電流Ｉ11が出力され、コンデンサＣ１が電流Ｉ11によって充電される。そして、コンデンサＣ１の充電電圧である前処理信号の電圧Ｃｖ+が、図２に示す波形のように徐々に上昇してＶ1を超えると、ダイオードＤ１がオンして電圧Ｃｖ+はＶ1に制限される。
【００３２】
一方、出力バッファ４１によって、前処理信号である電圧Ｃｖ+に応じて徐々に上昇する信号Ｒｘ+が、コンデンサＣ２を介して通信線５Ｈへ出力される。また、反転出力バッファ４２によって、前処理信号である電圧Ｃｖ+に応じて徐々に下降する、信号Ｒｘ+とは逆極性の信号Ｒｘ-が、コンデンサＣ３を介して通信線５Ｌへ出力される。また、電圧Ｃｖ+はピーク電圧がＶ1に制限されているので、通信用の信号Ｒｘ+、信号Ｒｘ-もまた、所定の電圧範囲に制限される。
【００３３】
そして、データＴｘの立ち上がり時に通信装置１から通信線５Ｈ，５Ｌへ送信される通信用の信号Ｒｘ+、信号Ｒｘ-の波形が徐々に上昇、下降する信号波形にされる結果、通信用信号の不要な高周波成分が除去される。また、通信用の信号Ｒｘ+、信号Ｒｘ-が所定の電圧範囲に制限されるので、オーバーシュート等の波形乱れの発生が抑制される。
【００３４】
これにより、データＴｘの立ち上がり時に通信装置１から通信線５Ｈ，５Ｌへ送信される通信用信号による不要輻射が低減される。
【００３５】
次に、制御部２によってデータＴｘがローレベルにされると、放電回路６においてスイッチＳＷ４がオンし、定電流源ＣＳ２によってトランジスタＴｒ３に電流Ｉ2が流される結果、トランジスタＴｒ３と共にカレントミラー回路６１を構成するトランジスタＴｒ４から電流Ｉ2とほぼ等しい一定の電流Ｉ21が出力され、コンデンサＣ１が電流Ｉ21によって放電される。そして、コンデンサＣ１の充電電圧である前処理信号の電圧Ｃｖ+が、図２に示す波形のように徐々に下降してＶ2を下回ると、ダイオードＤ２がオンして電圧Ｃｖ+はＶ2以上に維持される。
【００３６】
一方、出力バッファ４１によって、前処理信号である電圧Ｃｖ+に応じて徐々に下降する信号Ｒｘ+が、コンデンサＣ２を介して通信線５Ｈへ出力される。また、出力バッファ４２によって、前処理信号である電圧Ｃｖ+に応じて徐々に上昇する、信号Ｒｘ+とは逆極性の信号Ｒｘ-が、コンデンサＣ３を介して通信線５Ｌへ出力される。また、電圧Ｃｖ+は下限電圧がＶ2に制限されているので、通信用の信号Ｒｘ+、信号Ｒｘ-もまた、所定の電圧範囲に制限される。
【００３７】
そして、データＴｘの立ち下がり時に通信装置１から通信線５Ｈ，５Ｌへ送信される通信用の信号Ｒｘ+、信号Ｒｘ-の波形が徐々に下降、上昇する信号波形にされる結果、通信用信号の不要な高周波成分が除去される。また、通信用の信号Ｒｘ+、信号Ｒｘ-が所定の電圧範囲に制限されるので、アンダーシュート等の波形乱れの発生が抑制される。
【００３８】
これにより、データＴｘの立ち下がり時に通信装置１からツイストペアケーブル５へ送信される通信用信号による不要輻射が低減される。
【００３９】
以上のように、データＴｘの論理値に応じてコンデンサＣ１の充放電が行われ、通信用信号が通信線５Ｈ，５Ｌへ送信される。そして、データＴｘの送信が終了すると、制御部２によって、制御信号Ｅｎがローレベルにされ、スイッチＳＷ１，ＳＷ２がオフされる。これにより、通信線５Ｈ，５Ｌから通信装置１を見たインピーダンスがハイインピーダンス状態になるので、通信装置１が通信線５Ｈ，５Ｌに接続されることによる通信線５Ｈ，５Ｌのインピーダンス低下を抑制することができる。
【００４０】
（第２実施形態）
次に、本発明の第２の実施形態について説明する。図３は、本発明の第２の実施形態に係る通信装置の構成の一例を説明するための図である。図３に示す通信装置１ａと、図１に示す通信装置１とでは、下記の点で異なる。すなわち、図３に示す通信装置１ａでは、コンデンサＣ１と、放電回路６、充電回路７、及び電圧制限回路８との間に抵抗Ｒ１が介設されている。
【００４１】
その他の構成は図１に示す通信装置１と同様であるので、以下本実施の形態の特徴的な点について、通信装置１ａの動作を説明する。図４は、通信装置１ａの通信用信号送信時における各部の信号波形を示す図である。まず、図１に示す通信装置１の場合と同様に、制御部２によって、データＴｘがハイレベルにされると、コンデンサＣ１が充電回路７からの電流Ｉ11によって充電される。この充電の際、通信装置１ａにおいては、コンデンサＣ１の充電電圧Ｃｖ+がＶ1に達する直前に、抵抗Ｒ１によって電圧Ｃｖ+の充電波形になまりが生じるので、電圧Ｃｖ+がＶ1に達してダイオードＤ１がオンする際の電流の急激な変化が除去される。
【００４２】
また、なまりが生じた電圧Ｃｖ+の信号波形に応じて徐々に上昇する信号Ｒｘ+が、出力バッファ４１からコンデンサＣ２を介して通信線５Ｈへ出力される。また、出力バッファ４２によって、なまりが生じた電圧Ｃｖ+の信号波形に応じて徐々に下降する、信号Ｒｘ+とは逆極性の信号Ｒｘ-が、コンデンサＣ３を介して通信線５Ｌへ出力される。その結果、信号Ｒｘ+、信号Ｒｘ-の信号波形にもなまりが生じ、通信用信号の不要な高周波成分が除去される。
【００４３】
これにより、データＴｘの立ち上がり時に通信装置１からツイストペアケーブル５へ送信される通信用信号による不要輻射が低減される。
【００４４】
次に、図１に示す通信装置１の場合と同様に、制御部２によって、データＴｘがローレベルにされると、コンデンサＣ１が放電回路６によって電流Ｉ21で放電される。この放電の際、通信装置１ａにおいては、コンデンサＣ１の充電電圧Ｃｖ+がＶ2に達する直前に抵抗Ｒ１によって電圧Ｃｖ+の放電波形になまりが生じるので、電圧Ｃｖ+がＶ2に達してダイオードＤ２がオンする際の電流の急激な変化が除去される。
【００４５】
また、なまりが生じた電圧Ｃｖ+の信号波形に応じて徐々に下降する信号Ｒｘ+が、出力バッファ４１からコンデンサＣ２を介して通信線５Ｈへ出力される。また、出力バッファ４２によって、なまりが生じた電圧Ｃｖ+の信号波形に応じて徐々に上昇する、信号Ｒｘ+とは逆極性の信号Ｒｘ-が、コンデンサＣ３を介して通信線５Ｌへ出力される。その結果、信号Ｒｘ+、信号Ｒｘ-の信号波形にもなまりが生じ、通信用信号の不要な高周波成分が除去される。
【００４６】
これにより、データＴｘの立ち下がり時に通信装置１からツイストペアケーブル５へ送信される通信用信号による不要輻射が低減される。
【００４７】
（第３実施形態）
次に、本発明の第３の実施形態について説明する。図５は、本発明の第３の実施形態に係る通信装置の構成の一例を説明するための図である。図５に示す通信装置１ｂと、図３に示す通信装置１ａとでは、下記の点で異なる。すなわち、図５に示す通信装置１ｂでは、トランジスタＴｒ１のコレクタ、エミッタ間にコンデンサＣ４が接続され、トランジスタＴｒ３のコレクタ、エミッタ間にコンデンサＣ５が接続されている。
【００４８】
その他の構成は図３に示す通信装置１ａと同様であるので、以下本実施の形態の特徴的な点について、通信装置１ｂの動作を説明する。図６は、通信装置１ｂの通信用信号送信時における各部の信号波形を示す図である。まず、図１に示す通信装置１の場合と同様に、制御部２によって、データＴｘがハイレベルにされると、充電回路７においてスイッチＳＷ３がオンし、定電流源ＣＳ１によってトランジスタＴｒ１に電流Ｉ1が流される。
【００４９】
通信装置１ｂにおいては、スイッチＳＷ３がオンした直後に定電流源ＣＳ１によって流された電流Ｉ1の一部は、過渡的にトランジスタＴｒ１をバイパスしてコンデンサＣ４を流れるため、トランジスタＴｒ１を流れる電流はスイッチＳＷ３のオン直後から徐々に増加し、カレントミラー回路７１によるコンデンサＣ１の充電電流Ｉ11も徐々に増加することとなる。
【００５０】
これにより、コンデンサＣ１の充電電圧Ｃｖ+の上昇開始時の波形になまりが生じる。その結果、信号Ｒｘ+、信号Ｒｘ-の信号波形にもなまりが生じ、通信用信号の不要な高周波成分が除去され、通信用信号による不要輻射が低減される。
【００５１】
次に、図１に示す通信装置１の場合と同様に、制御部２によって、データＴｘがローレベルにされると、放電回路６においてスイッチＳＷ４がオンし、定電流源ＣＳ２によってトランジスタＴｒ３に電流Ｉ2が流される。通信装置１ｂにおいては、スイッチＳＷ４がオンした直後に定電流源ＣＳ２によって流された電流Ｉ2の一部は、過渡的にトランジスタＴｒ３をバイパスしてコンデンサＣ５を流れるため、トランジスタＴｒ３を流れる電流はスイッチＳＷ４のオン直後から徐々に増加し、カレントミラー回路６１によるコンデンサＣ１の放電電流Ｉ21も徐々に増加することとなる。
【００５２】
これにより、コンデンサＣ１の充電電圧Ｃｖ+の下降開始時の波形になまりが生じる。その結果、信号Ｒｘ+、信号Ｒｘ-の信号波形にもなまりが生じ、通信用信号の不要な高周波成分が除去され、通信用信号による不要輻射が低減される。
【００５３】
（第４実施形態）
次に、本発明の第４の実施形態について説明する。図７は、本発明の第４の実施形態に係る通信装置の構成の一例を説明するための図である。図７に示す通信装置１ｃと、図１に示す通信装置１とでは、下記の点で異なる。すなわち、図７に示す通信装置１ｃは、データＴｘを出力しない場合にコンデンサＣ１の充電電圧Ｃｖ+を中間電圧Ｖ3＝(Ｖ1+Ｖ2)／２  にしておくための中間電圧設定回路９を備える。また、通信装置１ｃは、制御部２と、スイッチＳＷ１，ＳＷ２との間に介設された遅延回路１０を備える。また、スイッチＳＷ１，ＳＷ２は、抵抗値を変更可能なアナログスイッチで構成されており、例えばスイッチＳＷ１，ＳＷ２をオンオフさせるための制御信号を積分回路でなまらせる等の方法により、スイッチＳＷ１，ＳＷ２をオンする場合は、オフ状態から徐々に抵抗値を小さくしてオン状態に移行する一方、スイッチＳＷ１，ＳＷ２をオフする場合は、オン状態から徐々に抵抗値を大きくしてオフ状態に移行するようにされている。
【００５４】
その他の構成は図１に示す通信装置１と同様であるので、以下本実施の形態の特徴的な点について説明する。
【００５５】
中間電圧設定回路９は、所定の電流Ｉ3をそれぞれ同様に出力する定電流源ＣＳ３，ＣＳ４と、ダイオードＤ３，Ｄ４，Ｄ５，Ｄ６と、スイッチＳＷ５，ＳＷ６，ＳＷ７と、インバータ９１とを備える。また、直列接続されたダイオードＤ３，Ｄ４と、直列接続されたダイオードＤ５，Ｄ６とが並列に接続されてダイオードブリッジ９２が構成されている。そして、定電流源ＣＳ３は、スイッチＳＷ５を介してダイオードＤ３，Ｄ５のアノードに接続され、ダイオードＤ４，Ｄ６のカソードは、スイッチＳＷ６を介して定電流源ＣＳ４に接続されている。
【００５６】
さらに、ダイオードＤ３とダイオードＤ４との接続点は、定電圧源Ｅ１の正極と定電圧源Ｅ２の正極との間に直列に接続された抵抗Ｒ２、Ｒ３の接続点に、接続されている。また、抵抗Ｒ２と抵抗Ｒ３は、等しい抵抗値にされている。これにより、定電圧源Ｅ１の出力電圧Ｖ1と定電圧源Ｅ２の出力電圧Ｖ2との間の電圧が抵抗Ｒ２、Ｒ３により分圧され中間電圧Ｖ3＝(Ｖ1+Ｖ2)／２がダイオードＤ３とダイオードＤ４との接続点に印加される。
【００５７】
また、ダイオードＤ５とダイオードＤ６との接続点は、コンデンサＣ１を充放電可能に接続されている。さらに、コンデンサＣ１、ダイオードＤ５，Ｄ６、及び出力バッファ４１，４２と、放電回路６、充電回路７、及び電圧制限回路８との間にスイッチＳＷ７が介設されている。
【００５８】
スイッチＳＷ７は、制御部２からの制御信号Ｅｎが、ローレベルでオフ、ハイレベルでオンする。また、スイッチＳＷ５，ＳＷ６は、制御部２とインバータ９１を介して接続されており、制御部２からの制御信号Ｅｎが、ローレベルでオン、ハイレベルでオフする。
【００５９】
遅延回路１０は、制御部２からの制御信号Ｅｎの立ち下がりタイミングを所定時間だけ遅延させた遅延信号ＥｎｘをスイッチＳＷ１，ＳＷ２へ出力する。これにより、スイッチＳＷ１，ＳＷ２は、制御部２からのデータＴｘの出力終了後、所定時間経過後にオフされる。
【００６０】
次に、図７に示す通信装置１ｃの図１に示す通信装置１とは異なる特徴的な動作について説明する。図８は、通信装置１ｃの通信用信号送信時における各部の信号波形を示す図である。まず、制御部２からデータＴｘが出力されていない状態で、制御部２によって、制御信号Ｅｎがローレベルにされており、スイッチＳＷ５，ＳＷ６がオン、スイッチＳＷ７がオフされる。これにより、定電流源ＣＳ３から出力された電流Ｉ3が、ダイオードＤ３，Ｄ４の直列回路と、ダイオードＤ５，Ｄ６の直列回路とに分流して流れた後、ダイオードＤ４とダイオードＤ６との接続部で合流して定電流源ＣＳ４によって再び電流Ｉ3にされる。
【００６１】
そして、ダイオードＤ３とダイオードＤ４との接続点には中間電圧Ｖ3＝(Ｖ1+Ｖ2)／２が印加されているので、ダイオードＤ５とダイオードＤ６との接続点の電圧もまた、中間電圧Ｖ3にされる。すなわち、電圧Ｃｖ+が中間電圧Ｖ3よりも低ければ、定電流源ＣＳ３からダイオードＤ５を介してコンデンサＣ１が充電され、電圧Ｃｖ+が中間電圧Ｖ3よりも高ければ、定電流源ＣＳ４からダイオードＤ６を介してコンデンサ
Ｃ１が放電される結果、コンデンサＣ１の充電電圧Ｃｖ+が中間電圧Ｖ3に保たれる。さらに、電圧Ｃｖ+に応じて、出力バッファ４１，４２の各出力信号Ｒｘ+，Ｒｘ-もまた、中間電圧にされる。
【００６２】
次に、制御部２によって、データの送信が開始され、制御信号Ｅｎがハイレベルにされると共に、データＴｘが出力される。図８においては、データＴｘの先頭ビットは論理値”１”を示しており、ハイレベルにされている。また、制御信号Ｅｎがハイレベルにされることにより、スイッチＳＷ７がオンされて放電回路６、充電回路７、及び電圧制限回路８がコンデンサＣ１と接続され、スイッチＳＷ５，ＳＷ６がオフされて中間電圧設定回路９によるコンデンサＣ１の充放電が停止される。
【００６３】
また、制御信号Ｅｎの立ち上がりは遅延回路１０において遅延しないので、遅延回路１０により遅延信号Ｅｎｘがハイレベルにされ、スイッチＳＷ１，ＳＷ２のインピーダンスが徐々に低下してオン状態に移行し、出力バッファ４１，４２がそれぞれコンデンサＣ２，Ｃ３を介してそれぞれ通信線５Ｈ，５Ｌへ接続され、出力バッファ４１，４２からツイストペアケーブル５へのデータの送信が可能な状態にされる。
【００６４】
一方、スイッチＳＷ１，ＳＷ２をオンさせる前から、コンデンサＣ２，Ｃ３に、例えば前回送信された通信用信号による電荷が蓄えられたままの状態になっている場合がある。このような場合に、図１に示す通信装置１においては、スイッチＳＷ１，ＳＷ２がオンされた瞬間に出力バッファ４１，４２の出力電圧を基準にしてコンデンサＣ２，Ｃ３に蓄えられていた電荷による電圧が通信線５Ｈ，５Ｌに印加されてしまい、その電圧が通信用信号として通信線５Ｈ，５Ｌに送信されてしまうおそれがある。しかし、図７に示す通信装置１ｃにおいては、スイッチＳＷ１，ＳＷ２のインピーダンスが徐々に低下してオン状態に移行するので、コンデンサＣ２，Ｃ３に電荷が蓄えられていた場合であっても蓄えられていた電荷が徐々に充放電されて出力バッファ４１，４２の各出力信号Ｒｘ+，Ｒｘ-の電圧にされ、コンデンサＣ２，Ｃ３に蓄えられていた電荷による電圧が通信用信号として通信線５Ｈ，５Ｌに送信されてしまうことが抑制される。
【００６５】
また、制御部２によって、データＴｘがハイレベルにされると、図１に示す通信装置１の場合と同様に、コンデンサＣ１が電流Ｉ11によって充電され、コンデンサＣ１の充電電圧である前処理信号の電圧Ｃｖ+が徐々に上昇する。この際、図７に示す通信装置１ｃにおいては、電圧Ｃｖ+があらかじめ中間電圧Ｖ3にされているので、コンデンサＣ１の充放電による電圧変化が小さくなり、出力バッファ４１，４２の各出力信号Ｒｘ+，Ｒｘ-の電圧変化もまた小さくなる。これにより、送信開始時の信号Ｒｘ+，Ｒｘ-の急激な波形の変化が抑制されるので、通信用信号による不要輻射が低減される。
【００６６】
次に、データＴｘの送信が終了し、制御部２により制御信号Ｅｎがローレベルにされると、スイッチＳＷ５，ＳＷ６がオン、スイッチＳＷ７がオフされ、上記と同様にして中間電圧設定回路９によって、コンデンサＣ１の充電電圧Ｃｖ+が中間電圧Ｖ3にされ、電圧Ｃｖ+に応じて出力バッファ４１，４２の各出力信号Ｒｘ+，Ｒｘ-もまた、中間電圧にされる。これにより、送信終了時の信号Ｒｘ+，Ｒｘ-の急激な波形の変化が抑制されるので、通信用信号による不要輻射が低減される。
【００６７】
一方、図１に示す通信装置１のように、制御信号Ｅｎがローレベルにされると同時にスイッチＳＷ１，ＳＷ２をオフさせた場合には、出力バッファ４１，４２の各出力信号Ｒｘ+，Ｒｘ-によってコンデンサＣ２，Ｃ３の電位が中間電圧にされる前にスイッチＳＷ１，ＳＷ２がオフされてしまい、コンデンサＣ２，Ｃ３に電荷が蓄えられたままになるおそれがある。
【００６８】
しかし、図７に示す通信装置１ｃにおいては、遅延回路１０によって制御信号Ｅｎの立ち下がりタイミングが所定時間だけ遅延された遅延信号ＥｎｘによってスイッチＳＷ１，ＳＷ２がオフされるので、制御信号ＥｎがローレベルにされてからコンデンサＣ２，Ｃ３の電位が中間電圧にされるまでの時間の経過後にスイッチＳＷ１，ＳＷ２がオフされ、コンデンサＣ２，Ｃ３に電荷が蓄えられたままになることが抑制され、次に送信を開始する際にコンデンサＣ２，Ｃ３に蓄えられていた電荷による電圧が通信用信号として通信線５Ｈ，５Ｌに送信されてしまうことを抑制することができる。
【００６９】
（第５実施形態）
次に、本発明の第５の実施形態について説明する。図９は、本発明の第５の実施形態に係る通信装置の構成の一例を説明するための図である。図９に示す通信装置１ｄと、図７に示す通信装置１ｃとでは、下記の点で異なる。すなわち、図９に示す通信装置１ｄは、放電回路６、充電回路７、及び電圧制限回路８と同様に構成された放電回路６ａ、充電回路７ａ、及び電圧制限回路８ａをさらに備える。また、反転出力バッファである出力バッファ４２の替わりに、出力を反転しない出力バッファ４１と同様の出力バッファ４１ａが用いられる。さらに、中間電圧設定回路９の替わりに、中間電圧設定回路９ａを備える。
【００７０】
その他の構成は図７に示す通信装置１ｃと同様であるので、以下本実施の形態の特徴的な点について説明する。
【００７１】
放電回路６ａにおけるスイッチＳＷ４ａは、制御部２から例えばデータＴｘがハイレベルで出力されて論理値”１”を示す場合にオンするようにされ、すなわち放電回路６におけるスイッチＳＷ４とは、オンオフが逆になるようにされている。その他の点では、放電回路６ａと放電回路６とは同様にされている。
【００７２】
充電回路７ａにおけるスイッチＳＷ３ａは、制御部２から例えばデータＴｘがローレベルで出力されて論理値”０”を示す場合にオンするようにされ、すなわち充電回路７におけるスイッチＳＷ３とは、オンオフが逆になるようにされている。その他の点では、放電回路６ａと放電回路６とは同様にされている。
【００７３】
放電回路６ａ、充電回路７ａ、及び電圧制限回路８ａは、放電回路６、充電回路７、及び電圧制限回路８と同様に接続され、スイッチＳＷ７と同様に構成されたスイッチＳＷ７ａを介してコンデンサＣ１ａを充放電可能に構成されている。また、出力バッファ４１ａは、コンデンサＣ１ａの充電電圧Ｃｖ-に応じた信号Ｒｘ-を、スイッチＳＷ２とコンデンサＣ３とを介して通信線５Ｌへ出力する。
【００７４】
中間電圧設定回路９ａは、図７に示す通信装置１ｃが備える中間電圧設定回路９とは、以下の点で異なる。すなわち、中間電圧設定回路９が備えるダイオードブリッジ９２の替わりに、直列接続されたダイオードＤ３，Ｄ４と、直列接続されたダイオードＤ５，Ｄ６と、直列接続されたダイオードＤ７，Ｄ８とが並列に接続されたダイオードブリッジ９２ａが用いられる。そして、ダイオードＤ５とダイオードＤ６との接続点は、中間電圧設定回路９の場合と同様にコンデンサＣ１を充放電可能に接続される一方、ダイオードＤ７とダイオードＤ８との接続点は、コンデンサＣ１ａを充放電可能に接続されている。
【００７５】
その他の構成は図７に示す通信装置１ｃと同様であるので、図９に示す通信装置１ｄの図７に示す通信装置１ｃとは異なる特徴的な動作について説明する。図１０は、通信装置１ｄの通信用信号送信時における各部の信号波形を示す図である。
【００７６】
まず、制御部２からデータＴｘが出力されていない状態で、制御部２によって、制御信号Ｅｎがローレベルにされており、スイッチＳＷ５，ＳＷ６がオン、スイッチＳＷ７がオフされる。これにより、中間電圧設定回路９ａにおいて、定電流源ＣＳ３から出力された電流Ｉ3が、ダイオードＤ３，Ｄ４の直列回路と、ダイオードＤ５，Ｄ６の直列回路と、ダイオードＤ７，Ｄ８の直列回路とに分流して流れた後、ダイオードＤ４，Ｄ６，Ｄ８の接続部で合流して定電流源ＣＳ４によって再び電流Ｉ3にされる。
【００７７】
そして、ダイオードＤ３とダイオードＤ４との接続点には中間電圧Ｖ3＝(Ｖ1+Ｖ2)／２が印加されているので、ダイオードＤ５とダイオードＤ６との接続点、及びダイオードＤ７とダイオードＤ８との接続点の電圧もまた、中間電圧Ｖ3にされる。これにより、図７に示す中間電圧設定回路９の場合と同様にして、コンデンサＣ１の充電電圧Ｃｖ+と、コンデンサＣ１ａの充電電圧Ｃｖ-とが中間電圧Ｖ3に保たれる。さらに、電圧Ｃｖ+，Ｃｖ-に応じて、出力バッファ４１，４２の各出力信号Ｒｘ+，Ｒｘ-もまた、中間電圧にされる。
【００７８】
この場合、放電回路６、充電回路７、電圧制限回路８、コンデンサＣ１、及び出力バッファ４１からなる信号Ｒｘ+の出力回路と、放電回路６ａ、充電回路７ａ、電圧制限回路８ａ、コンデンサＣ１ａ、及び出力バッファ４１ａからなる出力回路とは、中間電圧設定回路９ａを共通して用いることができるので、中間電圧のバラツキを抑制できると共に中間電圧設定回路を構成するために部品数を低減することができる。
【００７９】
また、例えば図７に示す通信装置１ｃのように、信号Ｒｘ-を出力するための出力バッファとして、電圧Ｃｖ+を反転させて出力する反転出力バッファ４２を用いた場合には、出力バッファ４１と出力バッファ４２との特性バラツキが大きくなるため、通信線５Ｈ，５Ｌ間に出力される差動信号の波形歪みが大きくなるという不都合が考えられる。しかし、図９に示す通信装置１ｄにおいては、信号Ｒｘ-を出力するための出力バッファ４１ａとして、信号Ｒｘ+を出力するための出力バッファ４１と同じ非反転の出力バッファを用いることができるので、通信線５Ｈ，５Ｌ間に出力される差動信号の波形歪みが抑制され、通信用信号による不要輻射が低減される。
【図面の簡単な説明】
【００８０】
【図１】本発明の第１の実施形態に係る通信装置の構成の一例を説明するための図である。
【図２】図１に示す通信装置の各部の信号波形を示す図である。
【図３】本発明の第２の実施形態に係る通信装置の構成の一例を説明するための図である。
【図４】図３に示す通信装置の各部の信号波形を示す図である。
【図５】本発明の第３の実施形態に係る通信装置の構成の一例を説明するための図である。
【図６】図５に示す通信装置の各部の信号波形を示す図である。
【図７】本発明の第４の実施形態に係る通信装置の構成の一例を説明するための図である。
【図８】図７に示す通信装置の各部の信号波形を示す図である。
【図９】本発明の第５の実施形態に係る通信装置の構成の一例を説明するための図である。
【図１０】図９に示す通信装置の各部の信号波形を示す図である。
【図１１】背景技術を説明するための通信システム構成を示す図である。
【図１２】背景技術による通信装置を示す図である。
【符号の説明】
【００８１】
１，１ａ，１ｂ，１ｃ，１ｄ  通信装置
２    制御部
３    前処理部(前処理信号生成部）
４    信号出力部
５    ツイストペアケーブル
５Ｈ，５Ｌ  通信線
６，６ａ    放電回路
７，７ａ    充電回路
８，８ａ    電圧制限回路
９，９ａ    中間電圧設定回路
１０  遅延回路
４１，４１ａ，４２  出力バッファ
６１  カレントミラー回路（第２のカレントミラー回路）
７１  カレントミラー回路（第１のカレントミラー回路）
９２，９２ａ  ダイオードブリッジ
Ｃ１，Ｃ１ａ  コンデンサ（充電用コンデンサ）
Ｃ２，Ｃ３    コンデンサ（出力用のコンデンサ）
Ｃ４  コンデンサ（第１のコンデンサ）
Ｃ５  コンデンサ（第２のコンデンサ）
ＣＳ１  定電流源（第１の定電流源）
ＣＳ２  定電流源（第２の定電流源）
ＣＳ３  定電流源（第３の定電流源）
ＣＳ４  定電流源（第４の定電流源）
Ｄ１，Ｄ２，Ｄ３，Ｄ４，Ｄ５，Ｄ６，Ｄ７，Ｄ８  ダイオード
Ｅ１，Ｅ２  定電圧源
Ｒ１  抵抗（第１の抵抗）
ＳＷ１，ＳＷ２    スイッチ（出力用のスイッチ）
ＳＷ３，ＳＷ４，ＳＷ５，ＳＷ６，ＳＷ７  スイッチ
ＳＷ３ａ，ＳＷ４ａ，ＳＷ７ａ            スイッチ
Ｔｒ１      トランジスタ（第１のトランジスタ）
Ｔｒ２      トランジスタ（第２のトランジスタ）
Ｔｒ３      トランジスタ（第３のトランジスタ）
Ｔｒ４      トランジスタ（第４のトランジスタ）
【図１】
2005045729.tif 000003
【図２】
2005045729.tif 000004
【図３】
2005045729.tif 000005
【図４】
2005045729.tif 000006
【図５】
2005045729.tif 000007
【図６】
2005045729.tif 000008
【図７】
2005045729.tif 000009
【図８】
2005045729.tif 000010
【図９】
2005045729.tif 000011
【図１０】
2005045729.tif 000012
【図１１】
2005045729.tif 000013
【図１２】
2005045729.tif 000014